(57)【要約】      （修正有）【課題】複数種類のメモリカードを接続できるメモリカードコネクタの提供。【解決手段】異なる形式のメモリカードを収容できるメモリカードスロット２０がハウジング１１に形成され、各導電端子が弾性部とソルダー部を具え、導電端子及びソルダーピン５０のソルダー部がハウジングの側辺に設置され、導電端子のソルダー部がマザーボードにはんだ付けされてメモリカードとマザーボード間の電子信号を導通させ、ソルダーピンはマザーボードにはんだ付けされて基板とマザーボードの回路を接続し、メモリカードと基板３０の間の電子信号を伝送し、第１及び第２弾性アーム４１、４２が基板に取り付けられ、メモリカードがメモリカードスロットに挿入される時、第１及び第２弾性アームが弾性的にメモリカードの端子に接触し、第１及び第２弾性アーム及びコネクタの導電端子がそれぞれ第１、第２及び第３種類のメモリカードに接続される。【選択図】図１
0003103740.tif 000002
【実用新案登録請求の範囲】
【請求項１】
ケースと、
それぞれが弾性部とソルダー部を具えた列をなす導電端子と、
それぞれが取り付け部を具えた列をなす第１弾性アームと、
それぞれが取り付け部を具えた列をなす第２弾性アームと、
回路を具えて第１及び第２弾性アームとマザーボード上の回路を接続する基板と、
該ケースに形成された列をなす位置決め部と、
基板上に形成されてケースの位置決め部と結合される列をなす位置決め孔と、
基板に設けられて基板上の回路をマザーボードに接続する列をなすソルダーピンと、
基板に形成されソルダーピンが挿入並びにはんだ付けされた列をなすソルダー孔と、
ケースに形成されて少なくとも二種類のメモリカードの挿入に供されるメモリカードスロットと、
を具え、そのうち導電端子及びコネクタ側辺に設置された第１及び第２弾性アームが第１、第２及び第３種のメモリカードに適用されることを特徴とする、マルチメモリカードコネクタ。
【請求項２】
請求項１記載のマルチメモリカードコネクタにおいて、第１種のメモリカードがＳＭカード、第２種のメモリカードがＭＳカード、第３種のメモリカードがＳＤカードとされたことを特徴とする、マルチメモリカードコネクタ。
【請求項３】
請求項１記載のマルチメモリカードコネクタにおいて、第１種のメモリカードがＳＭカード、第２種のメモリカードがＭＳカード、第３種のメモリカードがＭＭＣカードとされたことを特徴とする、マルチメモリカードコネクタ。
【請求項４】
請求項１記載のマルチメモリカードコネクタにおいて、コネクタがさらに維持部を具え、ケース上の維持溝に結合され、維持部によりコネクタがマザーボードと結合されたことを特徴とする、マルチメモリカードコネクタ。
【考案の詳細な説明】
【技術分野】
【０００１】
本考案は一種の電気コネクタに係り、特に複数種類のメモリカードが挿入されてメモリカードのデータを読み取るのに供されるマルチメモリカードコネクタに関する。
【背景技術】
【０００２】
データの保存と伝送の便利性ゆえに、情報産業においてメモリカードの利用は普及している。プラグアンドプレイの便利な特性と携帯しやすい特性によりシリコーンディスクはすでに市場に普及したデータ保存媒体となっている。フラッシュメモリカードは多種類の消費性製品に応用され、例えばＰＤＡ、デジタルカメラ、マルチメディアプレイヤー（ＭＰ３）等に応用されている。
【０００３】
現在市場には非常に多くの規格のフラッシュメモリカードがある。関係する製品には、ＣＦ（コンパクトフラッシュ（登録商標））カード、ＳＭ（スマートメディア（登録商標））カード、ＭＭＣカード、ＭＳカード、ＳＤカード、及びｘＤピクチャーカード等がある。
【０００４】
異なる規格のメモリカードは消費者に非常に大きな不便をもたらす。消費者は多種類のカードリーダーを購入せざるを得なくなり、各カードリーダーは特定規格のコネクタを具え、複数のカードリーダーにより各種の異なるメモリカードに対応する。このため消費者のコスト負担が増し、使用上、及び携帯上も非常に不便があった。
【０００５】
上述の問題を解決するため、複数種類のメモリカードに対応するカードリーダーが生れた。伝統的なこのようなカードリーダーには複数のコネクタが設けられて複数種類のメモリカードの挿入に供される。しかし、あきらかに一つのカードリーダーに複数のコネクタを設けることは、構造を複雑とし、組立を面倒とし、コストをアップさせ、体積を増す等の問題をもたらす。ゆえに、多種類のメモリカードに対応できると共に、このような問題を解決できるマルチメモリカードコネクタが求められている。
【考案の開示】
【考案が解決しようとする課題】
【０００６】
本考案の主要な目的は、一種のマルチメモリカードコネクタを提供することにあり、それは、多種類のメモリカードに対応するメモリカードコネクタであり、基板を具えて導電端子の経路を所定の位置に導通させ、異なる規格のメモリカード挿入後に、カードリーダーによるデータの読み書きに供するものとする。
【０００７】
本考案のもう一つの目的は、一種のマルチメモリカードコネクタを提供することにあり、それは、ソルダーピンがコネクタの側辺に設けられ、速やかに組み立てることができ、組立を簡易化し、製造コストを減らすことができるものとする。本考案のコネクタを具備すればカードリーダーで多種類のメモリカードを利用できるようになり、カードリーダーの部品と体積を減らすことができる。
【０００８】
本考案のマルチメモリカードコネクタは、異なる規格のメモリカードを収容できるケースと、導電端子の経路を所定の位置に導通させる基板と、メモリカードの金属端子に接触する弾性アームと、コネクタの側辺に設けられたソルダーピンと、を具えている。
【課題を解決するための手段】
【０００９】
請求項１の考案は、ケースと、
それぞれが弾性部とソルダー部を具えた列をなす導電端子と、
それぞれが取り付け部を具えた列をなす第１弾性アームと、
それぞれが取り付け部を具えた列をなす第２弾性アームと、
回路を具えて第１及び第２弾性アームとマザーボード上の回路を接続する基板と、
該ケースに形成された列をなす位置決め部と、
基板上に形成されてケースの位置決め部と結合される列をなす位置決め孔と、
基板に設けられて基板上の回路をマザーボードに接続する列をなすソルダーピンと、
基板に形成されソルダーピンが挿入並びにはんだ付けされた列をなすソルダー孔と、
ケースに形成されて少なくとも二種類のメモリカードの挿入に供されるメモリカードスロットと、
を具え、そのうち導電端子及びコネクタ側辺に設置された第１及び第２弾性アームが第１、第２及び第３種のメモリカードに適用されることを特徴とする、マルチメモリカードコネクタとしている。
請求項２の考案は、請求項１記載のマルチメモリカードコネクタにおいて、第１種のメモリカードがＳＭカード、第２種のメモリカードがＭＳカード、第３種のメモリカードがＳＤカードとされたことを特徴とする、マルチメモリカードコネクタとしている。
請求項３の考案は、請求項１記載のマルチメモリカードコネクタにおいて、第１種のメモリカードがＳＭカード、第２種のメモリカードがＭＳカード、第３種のメモリカードがＭＭＣカードとされたことを特徴とする、マルチメモリカードコネクタとしている。
請求項４の考案は、請求項１記載のマルチメモリカードコネクタにおいて、コネクタがさらに維持部を具え、ケース上の維持溝に結合され、維持部によりコネクタがマザーボードと結合されたことを特徴とする、マルチメモリカードコネクタとしている。
【考案の効果】
【００１０】
本考案の長所の一つは、基板が導電端子の経路を所定の位置に導通させ、コネクタケースと導電端子の設計上の複雑性を減らし、ケース、基板、弾性アーム及びソルダーピンの組立のアライメントの正確性を改善する。
【００１１】
本考案のもう一つの長所は、ソルダーピンがコネクタの側辺に設けられ、製造上、再加工や検査プロセスの困難度を減らし、作業上の煩わしさを減らしコストを節約できる。
【考案を実施するための最良の形態】
【００１２】
図１は本考案のマルチメモリカードコネクタ１０の斜視図である。コネクタ１０は、ケース１、列をなす弾性アーム４１、４２、列を成すソルダーピン５０、複数の維持部７０、及び基板３０を具えている。多重メモリカードスロット２０がケース１１に形成されて、異なる規格のメモリカードの挿入に供される。維持部７０はコネクタ１０の側辺に設けられ、コネクタ１０をマザーボード（図示せず）に結合するのに供される。基板３０には列をなすソルダー孔３４が設けられて、ソルダーピン５０を基板３０にはんだ付けするのに供される。
【００１３】
図２、３を参照されたい。図２は本考案のコネクタの背面斜視図である。図３は本考案のコネクタの分解図である。コネクタ１０は列をなす導電端子４３を具え、導電端子４３は第１種のメモリカード、例えばＳＭ（登録商標）カードに適用される。各導電端子４３は弾性部４４とソルダー部４５を具えている。弾性部４４は弾性的に第１種のメモリカードの端子に接触し、ソルダー部４５は導電端子４３をマザーボードにはんだ付けするのに供される。弾性アーム４１、４２はそれぞれ取り付け部４１ａ、４２ａを具え、取り付け部４１ａ、４２ａにより弾性アーム４１、４２が基板３０の所定の位置に取り付けられる。弾性アーム４１は第２種のメモリカードの端子、例えばＭＳ（登録商標）カードに弾性的に接触するのに用いられる。同様に、弾性アーム４２は第３種のメモリカードの端子、例えばＭＭＣカード或いはＳＤカードに弾性的に接触するのに用いられる。
【００１４】
ケース１１はさらにソルダーピン維持用凹溝１４、弾性アーム維持凹溝１６、端子配列溝１７及び維持溝１８を具えている。基板３０のソルダーピン５０はケース１１のソルダーピン維持凹溝１４中に設置される。維持溝１８は維持部７０を収容並びに固定し、維持部７０によりコネクタ１０がマザーボードに結合される。弾性アーム維持凹溝１６は弾性アーム４２をケースの所定の位置に維持するのに供される。基板３０には列をなす位置決め孔３２が設けられ、ケース１１に設けられた位置決め部１２に位置決め孔３２が結合され、基板３０がケース１１の所定の位置に位置決めされる。
【００１５】
基板３０は回路を具え、第１及び第２弾性アームとマザーボード上の回路を接続する。基板３０はソルダー孔３４、弾性アーム維持孔３６及び弾性アーム維持凹溝３８を具えている。ソルダー孔３４はソルダーピン５０を基板３０にはんだ付けするのに供されて基板３０上の回路をマザーボードに接続する。弾性アーム維持孔３６は弾性アーム４１を所定のエリアに確保するのに用いられる。弾性アーム維持凹溝３８は弾性アーム４２の取り付け部４２ａを基板３０のソルダー部上に維持する。
【００１６】
図４は本考案のコネクタの底面図である。ケース１１は端子配列溝１７及び弾性アーム維持凹溝１９を底部に具えている。端子配列溝１７は導電端子４３をケース１１の所定の位置に固定するのに用いられる。弾性アーム維持凹溝１９は導電端子４３の弾性部４４をケース１１の所定のエリアに確保するのに用いられる。
【図面の簡単な説明】
【００１７】
【図１】本考案のマルチメモリカードコネクタ１０の斜視図である。
【図２】本考案のコネクタの背面斜視図である。
【図３】本考案のコネクタの分解図である。
【図４】本考案のコネクタの底面図である。
【符号の説明】
【００１８】
１０  コネクタ                  １１  ケース
１２  位置決め部                １４  ソルダーピン維持凹溝
１６  弾性アーム維持凹溝        １７  端子配列溝
１８  維持溝                    １９  弾性アーム維持凹溝
２０  メモリカードスロット      ３０  基板
３２  位置決め孔                ３４  ソルダー孔
３６  弾性アーム維持孔          ３８  弾性アーム維持凹溝
４１、４２  弾性アーム          ４１ａ、４２ａ  取り付け部
４３  端子                      ４４  弾性部
４５  ソルダー部                ５０  ソルダーピン
７０  維持部
【図１】
0003103740.tif 000003
【図２】
0003103740.tif 000004
【図３】
0003103740.tif 000005
【図４】
0003103740.tif 000006